(57)【要約】【課題】ユーザが起床する確実性を向上させる電子機器及び映像出力方法を提供することを課題とする。【解決手段】実施形態の電子機器は、通知手段、表示制御手段、検出手段を具備する。通知手段は、所定時刻となったことを通知、及びこの通知を停止する。表示制御手段は、前記通知を停止するための動作をユーザに示す表示画像を出力する。検出手段は、ユーザの前記通知を停止するための動作を検出する。さらに、前記通知手段は、前記動作が検出されると前記通知を停止する。【選択図】図５
2013113817.tif 000002
【特許請求の範囲】
【請求項１】
所定時刻となったことを通知、及びこの通知を停止する通知手段と、
前記通知を停止するための動作をユーザに示す表示画像を出力する表示制御手段と、
ユーザの前記通知を停止するための動作を検出する検出手段と、を具備し、
前記通知手段は、前記動作が検出されると前記通知を停止する電子機器。
【請求項２】
前記表示制御手段は、前記通知を停止するための動作をユーザに示す表示画像である第１の表示画像と、前記通知を停止するための動作をユーザに示す表示画像であり、前記第１の表示画像とは異なる第２の表示画像とを出力する請求項１記載の電子機器。
【請求項３】
前記検出手段が前記動作を検出すると、前記通知の停止とは異なる所定処理を実行する処理手段を更に具備する請求項１記載の電子機器。
【請求項４】
前記検出手段は、更に検出範囲におけるユーザの存在を検出し、
前記表示制御手段は、前記ユーザの存在の検出が行われるまで、前記表示画像の出力を行わない請求項１記載の電子機器。
【請求項５】
所定範囲の像を撮像する撮像手段を更に具備し、
前記検出手段は前記撮像手段が撮像した画像に基づいて、前記ユーザの動作を検出する請求項１記載の電子機器。
【請求項６】
前記表示制御手段が出力する表示部を更に具備する請求項１記載の電子機器。
【請求項７】
所定時刻となったことを通知し、
前記通知を停止するための動作をユーザに対して通知する表示画像を出力し、
ユーザの前記動作を検出し、
前記動作が検出されると前記通知を停止する、通知方法。
【発明の詳細な説明】
【技術分野】
【０００１】
本発明の実施の形態は、電子機器、及び通知方法に関する。
【背景技術】
【０００２】
近年の技術発展により、例えばデジタルテレビジョン（ＤＴＶ：Digital Television）等の映像を出力可能な電子機器に様々な機能が付加され、これらの電子機器の利便性が向上している。例えば、付加機能の一つとして、所定時刻になるとアラームを鳴動させることでユーザに対する目覚まし機能が付加された電子機器が考えられる。
【先行技術文献】
【特許文献】
【０００３】
【特許文献１】特開２００４−２２６２９０号公報
【発明の概要】
【発明が解決しようとする課題】
【０００４】
電子機器が目覚まし機能を有していたとしても、リモートコントローラ操作等でアラームを解除できるとすると、ユーザは簡単にアラーム解除ができてしまい、ユーザを起こす確実性が低い場合がある。
【０００５】
本発明は上記に鑑みてなされたものであって、ユーザが起床する確実性を向上させる電子機器及び通知方法を提供することを課題とする。
【課題を解決するための手段】
【０００６】
実施形態の電子機器は、通知手段、表示制御手段、検出手段を具備する。通知手段は、所定時刻となったことを通知、及びこの通知を停止する。表示制御手段は、前記通知を停止するための動作をユーザに示す表示画像を出力する。検出手段は、ユーザの前記通知を停止するための動作を検出する。さらに、前記通知手段は、前記動作が検出されると前記通知を停止する。
【図面の簡単な説明】
【０００７】
【図１】実施形態におけるＤＴＶの外観の一例を示す概念図。
【図２】実施形態におけるＤＴＶの内部構造の一例を示すブロック図。
【図３】実施形態における制御部内の構成を示すブロック図。
【図４】実施形態におけるアラームを停止させる際の態様の一例を示す概念図。
【図５】実施形態における目覚まし機能についての処理を示すフロー図。
【発明を実施するための形態】
【０００８】
本発明に関する実施の形態の一例を、以下で図面を参照しながら説明する。
【０００９】
図１は本実施形態におけるＤＴＶ１の外観の一例を示す概念図である。
【００１０】
ＤＴＶ１は例えばデジタルテレビ（Digital Television）であって本実施形態における電子機器の一例である。本実施形態では電子機器の一例としてＤＴＶ１を示すが、これに限定されるものではなく、例えばＤＶＤ（Digital Versatile Disc）プレーヤ、ＨＤＤ（Hard Disk Drive）プレーヤ、ＳＴＢ（Set Top Box）、又はＰＣ（Personal Computer）等の様々なものが電子機器の例として考えられる。
【００１１】
ＤＴＶ１は、例えば放送波等から受信した放送信号をデコードし、これを映像や音声として、表示部１２０やスピーカ１１０から出力することができる。
【００１２】
ＤＴＶ１はカメラ１６０を有しており、カメラ１６０は撮像手段としてＤＴＶ１正面の像を撮像することができる。つまり、ＤＴＶ１に正対したユーザの顔や全身を撮像することができる。
【００１３】
次にＤＴＶ１の内部構造に関して詳細に説明を行う。
【００１４】
図２は本実施形態におけるＤＴＶ１の内部構造の一例を示すブロック図である。
【００１５】
ＤＴＶ１は、装置各部の動作を制御する制御部１５６を備えている。制御部１５６は、ＣＰＵ（Central Processing Unit）等を内蔵している。制御部１５６は、操作部１１６から入力される操作信号や、リモートコントローラ１１７から送信され受光部１１８を介して受信される操作信号に応じて、ＲＯＭ（Read Only Memory）１５７に予め記憶されたシステム制御プログラム及び各種処理プログラムを起動させる。制御部１５６は、起動したプログラムに従って、ＲＡＭ（Random Access Memory）１５８をワークメモリとして装置各部の動作を制御する。また、制御部１５６は各種機能を実行するための処理部を有している。この処理部については図３を用いて後述にて説明を行う。
【００１６】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。ＰＳＫ復調器１４６は、ＴＳ（Transport Stream）の復調を行い、復調したＴＳをＴＳ復号器１４７ａに供給し、ＴＳ復号器１４７ａは、TSをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、例えばＤＴＶ１が電子番組表であるＥＰＧ（Electronic Program Guide）を生成するときに使用する情報である番組関連情報等を含む、放送波の放送番組に関する情報に関するデジタル信号である。
【００１７】
入力端子１４９は、地上波デジタル放送受信用のアンテナ１４８が受信した地上波デジタルテレビジョン放送信号を地上波デジタル放送用のチューナ１５０に供給する。チューナ１５０は、受信したデジタル放送信号のチューニングを行い、チューニングしたデジタル放送信号をそれぞれのＯＦＤＭ（Orthogonal Frequency Division Multiplexing）復調器１５１に送信する。ＯＦＤＭ復調器１５１は、ＴＳの復調を行い、復調したＴＳをそれぞれのＴＳ復号器１４７ｂに供給し、ＴＳ復号器１４７ｂは、ＴＳをデジタル映像信号及び音声信号等に復号した後、信号処理部１００にこれを出力する。また、ＤＴＶ１は、一例として、アンテナ１４８が接続される入力端子１４９にＣＡＴＶ（Common Antenna Television）用のチューナを接続することによってＣＡＴＶも視聴することができる。
【００１８】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、ライン入力端子１３７からの入力信号にも所定のデジタル信号処理を施す。
【００１９】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００２０】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００２１】
映像処理部１５５は、グラフィック処理部１５２から出力された信号に対して画質の補正を行った上で、表示部処理部１５５で表示可能なフォーマットの映像信号に変換する。映像処理部１５５で変換された映像信号は、表示部１２０に表示される。
【００２２】
表示部１２０はＬＣＤ（Liquid Crystal Display）によって構成されており、液晶によって映像を表示する。
【００２３】
音声処理部１５３は、入力された音声信号を、スピーカ１１０で再生可能なフォーマットの音声信号に変換する。変換された音声信号は、スピーカ１１０に出力されて再生される。
【００２４】
ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブルが接続されており、インターネット３と通信可能となっている。
【００２５】
カメラ１６０は、カメラ１６０正面の像を撮像することができる。本実施形態におけるカメラ１６０は、ＤＴＶ１に内蔵されているが、これに限定されず外部カメラであったとしてもよい。
【００２６】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２７】
ＨＤＤ１７０はＤＴＶ１に内蔵される磁気記憶媒体であってＤＴＶ１が有する映像コンテンツ等の各種データを記憶する機能を有している。
【００２８】
次に、制御部１５６内の処理部について説明を行う。
【００２９】
図３は、実施形態における制御部１５６内の構成を示すブロック図である。
【００３０】
目覚まし制御部３１は、ＤＴＶ１における目覚まし機能を制御する機能を有している。ＤＴＶ１は所定時刻になると目覚まし機能によって、アラームを鳴動させ、このアラームを停止させるための行動をユーザに対して要求する。ユーザはアラームを停止させたい場合、表示部１２０に表示された指示に基づいてカメラ１６０の前でポーズをとる、または動作をすることによってアラームを停止できる。目覚まし機能部３１はカメラ１６０に撮像されたユーザの行動が指示と一致するか否かを判別し、指示と一致する場合にはアラームを停止させるように処理を実行する。
【００３１】
アラーム機能部３２は、目覚まし制御部３１からの指示に基づいてアラームを鳴動／停止させえる機能を持つ。つまり、ユーザに所定時刻となったことを通知する通知手段である。ここでのアラームはスピーカ１１０より出力される。
【００３２】
表示作成部３３は、ユーザにアラーム停止のための動作を要求する表示画像を作成する機能を有する。表示作成部３３は表示画像を作成すると、表示部１２０に表示させる。
【００３３】
図４は、アラームを停止させる際の態様の一例を示す概念図である。
【００３４】
アラームを鳴動させた後に、ＤＴＶ１はこのアラームを停止させるための所定動作をユーザに要求する。この際、ＤＴＶ１は表示部１２０にユーザがアラーム停止のために取るべき動作の指示を表示し、ユーザはこの表示に基づいて動作を行う。図４で示す例では、動作指示画像４１として、ＤＴＶ１は人物４２が動作している画像を表示部１２０に表示し、ユーザはこれと同じ動作を行っている。ＤＴＶ１は人物４２の像によって右手を上げる動作を行うようにユーザに指示を行い、ユーザはこれに従って右手を上げることでアラームを停止することができる。ここでは、ユーザに所定の動作を行わせるように指示を行っているが、例えばポーズをとらせるとしてもよい。また、図４では全画面にて動作指示画像４１にて動作指示の内容を表示しているが、これに限定されず、例えば部分的に動作指示画像４１を表示し、他の領域に放送波から受信する番組を表示するとしても良い。
【００３５】
図４では、人物の像及び動作を表示してユーザに指示を行っているが、これに限定されず、文字や他の画像によって動作指示を行うとしても良い。このとき表示する例としては幾つかの例が考えられる。まず、動作を文字で表示する方法が考えられる。このときＤＴＶ１は画面に「右手を上げてください」「正座をしてください」等の文字を表示することによって動作を指示する。この場合には、文字のみを表示すればよいため、例えば放送番組を同時に表示するような場合には、放送番組を大きく表示することができる。また、文字としてクイズ、計算問題等を含む質問を表示し、答えを動作によって表現させるような方法であっても良い。例えば、回答の選択肢を上下左右に表示し、正解と思われる選択肢の方向に手を動かすことを要求してもよい。さらに、画面に人物を表示せず、一定の規則に従って変換した動作を要求してもよい。例えば、画面にじゃんけんの手を表示して、これに勝つような動作をユーザに要求するとしてもよい。または、じゃんけんの手をそれぞれ概念化した「石」、「鋏」、「紙」の何れかを表示するとしてもよい。
【００３６】
次に、目覚まし機能の処理について説明する。
【００３７】
図５は本実施形態における目覚まし機能についての処理を示すフロー図である。
【００３８】
まず、ユーザが設定した所定時刻となると、目覚まし制御部３１がアラーム機能部３２に鳴動指示を行い、アラーム機能３２がアラームの鳴動を開始する（ステップＳ５１）。
【００３９】
目覚まし制御部３１はアラーム鳴動指示と共に、アラーム停止のためにユーザに要求する動作を決定する（ステップＳ５２）。つまり、動作を要求するための表示画像を決定する。
【００４０】
次に、目覚まし制御部３１はカメラ１６０で撮像している画像を解析し、カメラ１６０の撮像範囲内（ＤＴＶ１正面）に人物が現れたか否かを判別する（ステップＳ５３）。カメラ１６０の撮像範囲内に人物が現れない間は（ステップＳ５３：Ｎｏ）、処理はステップＳ５３に戻る。
【００４１】
カメラ１６０の撮像範囲内に人物が現れたとき（ステップＳ５３：Ｙｅｓ）、目覚まし制御部３１は表示作成部３３に対して動作指示画像４１の作成指示を行い、表示作成部３３は表示画像を作成した上で、表示部１２０に表示する（ステップＳ５４）。
【００４２】
次に、目覚まし制御部３１はカメラ１６０で撮像している画像を解析し、撮像しているユーザが、要求した正しい動作を行ったか否かを判別する（ステップＳ５５）。
【００４３】
ステップＳ５５においてユーザが正しい動作を行っていないと判別する場合（ステップＳ５５：Ｎｏ）、目覚まし制御部３１は所定時間が経過したか否かを判別する（ステップＳ５６）。ステップＳ５６で、所定時間を経過していない場合（ステップＳ５６：Ｎｏ）、処理フローはステップＳ５５に戻る。
【００４４】
ステップＳ５５においてユーザが正しい動作を行ったと判別する場合（ステップＳ５５：Ｙｅｓ）、またはステップＳ５６において所定時間を経過した場合には（ステップＳ５６：Ｙｅｓ）、目覚まし制御部３１はアラーム機能部３２に対してアラームの停止指示を行い、アラーム機能部３２はアラームを停止する（ステップＳ５７）。
【００４５】
アラームの停止後、ＤＴＶ１は放送番組を表示する通常表示を行う（ステップＳ５８）。このとき、放送番組を表示する通常表示に戻らず、ＤＴＶ１は電源をオフするとしてもよい。
【００４６】
以上で、一連の処理フローは終了となる。ＤＴＶ１はユーザへの動作指示を表示部１２０に表示するため、ユーザに対して毎回異なる動作要求わかりやすく伝えることができる。これにより、ＤＴＶ１はユーザが起床する確実性を向上させることができる。また、ユーザが動くように指示をすることをできるので、ユーザが目覚め易くなる。
【００４７】
上記処理では、ステップＳ５３によってユーザを検知した後に、動作指示画像を表示するので、ユーザが画面の前に現れるまでの、表示のための電力を削減することができる。
【００４８】
上記の処理フローの例では、ユーザが要求された動作を行うとアラームを停止させるように処理を行っていたが、この動作によって他の操作を同時に行えるようにしても良い。例えば、表示部１２０に「手を右方向に向けると４チャンネルを選択する」、「手を左方向に向けると８チャンネルを選択する」という旨の表示を行い、ユーザが動作を行ったら、アラームを停止すると共に、この動作に応じてチャンネル選択処理を実行するとしても良い。この場合、チャンネル選択、音量制御等の様々な操作指示の例が考えられる。
【００４９】
上記においては、カメラによってユーザを検知する場合を例に挙げたが、これに限定されず、人感センサを用いてユーザを検知するとしてもよい。この場合、表示指示によりＤＴＶ１に近づいたり離れたりすることによってアラームの停止を行うとしてもよい。
【００５０】
また、ユーザによる要求された動作の実行をアラームの完全停止（解除）とし、この前にリモートコントローラ１１７による指示によりアラーム一時停止を実行できるとしても良い。この場合には、ＤＴＶ１はリモートコントローラ１１７による一時停止指示によりアラームを一時停止し、ユーザの要求動作の実行によってアラームを完全に停止する。
【００５１】
アラームとしては、ベル音、ブザー音、その他任意の予め設定された音や、放送番組の音声等が考えられ、これらの日によって変更するとしても良い。
【００５２】
また、例えば電子機器がＳＴＢ等であれば、上記の動作指示画面を表示する場合には、有線／無線によって表示装置に対して表示ＯＮの指示を送るような構成が考えられる。
【００５３】
上記の実施の形態では目覚ましのためにアラームを鳴動させるものとして例示したが、これに限定されず、所定時刻になると放送番組の表示をオンするものとしても良い。この場合には、最初は音量をある程度大きくしておき、ユーザの要求動作の実行によって音量を設定された音量にダウンさせるとしてもよい。
【００５４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００５５】
１…ＤＴＶ、３…インターネット、１１０…スピーカ、１２０…表示部、１００…信号処理部、１１６…操作部、１１７…リモートコントローラ、１１８…受光部、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１６０…カメラ、１６４…ＬＡＮ  Ｉ／Ｆ、１６６…ＵＳＢ  Ｉ／Ｆ、１７０…ＨＤＤ、３１…目覚まし制御部、３２…アラーム機能部、３３…表示作成部、４１…動作指示画像、４２…人物。
【図１】
2013113817.tif 000003
【図２】
2013113817.tif 000004
【図３】
2013113817.tif 000005
【図４】
2013113817.tif 000006
【図５】
2013113817.tif 000007